(57)【要約】【課題】簡単な構造で釣竿を確実にホールドし、釣竿の操作性を向上させる釣竿支持装置の提供。【解決手段】釣竿支持装置１０は、釣竿のリールシート１４に係合して当該釣竿１１を支持する。リールシート１４は、固定フード２０及び可動フード２１を有する。可動フード２１の内側に支持ブロック２９、３０が設けられている。支持ブロック２９、３０は、ステンレス鋼からなり、軸挿通孔３４を備える。この軸挿通孔３４に釣竿支持装置１０の支持軸４２が嵌合する。【選択図】図３
2011125230.tif 000002
【特許請求の範囲】
【請求項１】
釣竿に設けられ、当該釣竿に釣糸リールを着脱自在に固定するリールシートであって、
釣糸リールの脚が載置されるシート面を有するリールシート本体と、
リールシート本体に設けられた固定フードと、
リールシート本体に設けられ、固定フードと協働して上記脚を挟持する可動フードと、
固定フード又は可動フードに設けられ、釣糸リールが装着された釣竿を支持するための支持部とを備えたリールシート。
【請求項２】
上記支持部は、上記釣糸リールが装着された釣竿を支える支持軸を受ける軸受部からなる請求項１に記載のリールシート。
【請求項３】
上記軸受部は、上記リールシート本体の長手方向に直交する方向に延びる軸挿通孔を有する請求項２に記載のリールシート。
【請求項４】
上記支持部は、上記固定フード又は可動フードと一体的に形成されている請求項１から３のいずれかに記載のリールシート。
【請求項５】
釣糸リールの脚が載置されるシート面を有するリールシート本体と、
リールシート本体に設けられた固定フードと、
リールシート本体に設けられ、固定フードと協働して上記脚を挟持する可動フードとを備えたリールシートに適用されるリールシートアダプタであって、
上記固定フード又は可動フードに進入して当該固定フード又は可動フードによって上記脚と共に上記シート面上に固定されるベースプレートと、
ベースプレートと一体的に形成され、釣糸リールが装着された釣竿を支持するための支持部とを備えたリールシートアダプタ。
【請求項６】
上記支持部は、所定の支持軸を受ける軸受部からなる請求項５に記載のリールシートアダプタ。
【請求項７】
上記軸受部は、上記リールシート本体の長手方向に直交する方向に延びる軸挿通孔を有する請求項６に記載のリールシートアダプタ。
【請求項８】
釣糸リールの脚が載置されるシート面を有するリールシート本体、リールシート本体に設けられた固定フード、及びリールシート本体に設けられ、固定フードと協働して上記脚を挟持する可動フードを含むリールシートが設けられた釣竿を基礎体に支持するための釣竿支持装置であって、
上記固定フード又は可動フードに設けられた支持部と、
上記基礎体に設けられ、上記支持部と係合することによって釣糸リールが装着された釣竿を支持するための係合部とを備えた釣竿支持装置。
【請求項９】
上記係合部は支持軸からなり、
上記支持部は、上記支持軸を受ける軸受部からなる請求項８に記載の釣竿支持装置。
【請求項１０】
上記支持軸は、上記リールシート本体の長手方向に直交する方向に延び、
上記軸受部は、同方向に延びる軸挿通孔を有する請求項９に記載の釣竿支持装置。
【請求項１１】
上記支持部は、上記固定フード又は可動フードと一体的に形成されている請求項８から１０のいずれかに記載の釣竿支持装置。
【発明の詳細な説明】
【技術分野】
【０００１】
本発明は、釣竿を船体等に対して着脱自在に支持する釣竿支持装置の構造に関するものである。また、本発明は、そのような釣竿支持装置によって支持される釣竿のリールシートの構造並びにそのようなリールシートに適用される支持用アダプタに関するものである。
【背景技術】
【０００２】
たとえば船釣りでは、一般に釣竿は船縁に支持される。釣竿は、通常、釣糸リール（以下、単に「リール」という。）を装着している。このリールを備えた釣竿を支持するための装置が従来から提案されている（たとえば、特許文献１及び特許文献２参照）。従来の釣竿支持装置は、一般に釣竿に固定される嵌合部材（典型的には固定ピン）と、船縁に固定される被嵌合部材（典型的には上記固定ピンを固定するホルダ）とを有し、釣人が釣竿を持って嵌合部材を被嵌合部材に嵌め合わせることによって当該釣竿が船縁に固定されるようになっている。なお、従来の釣竿支持装置は、嵌合解除機構も備えている。釣人は、この嵌合解除機構を操作することによって上記嵌合部材と上記被嵌合部材との嵌合を解除させ、釣竿を船縁から離脱させて操作することができる。
【０００３】
船釣りに使用されるリールの重量は、一般的に大きい。加えて、リールが装着される釣竿の断面形状は一般に円形であって、リールを確実に保持することが容易でない形状である。このため、リールが釣竿に取り付けられた状態で両者を安定的に保持することは、少なくとも、角形の部材をクランプして保持する場合に比べて困難である。従来の釣竿支持装置では、リールを備えた釣竿が確実にホールドされるために、上記嵌合部材等は、釣竿と別個に専用設計され、釣竿の所定位置に取り付けられる。しかも、この嵌合部材等は、一定以上の機械的強度を要求されることから、必然的に重量が大きくなる。したがって、このような専用の部材（上記嵌合部材）が取り付けられる従来の釣竿では、実釣における釣竿の重量（リール及び嵌合部材を含んだ総重量）が一層大きくなり、釣人にとって釣竿の操作が困難となっていた。
【０００４】
その一方で、かかる不都合が解消されるため、釣竿に上記嵌合部材が設けられることなく、釣竿を直接にクランプする釣竿支持装置も提案されている（たとえば、特許文献３及び特許文献４参照）。ところが、釣竿を直接に支持する構造では、多くの釣竿が樹脂から構成されていることから、釣竿を強力にクランプすることは強度的な問題を生じさせる。その対策として、クランプされる部分の補強等が必要になるが、それでは、釣竿に求められる軽量化の要請に反するし、釣竿の製造コストが大幅に上昇する。しかも、仮にそのような補強がなされたとしても、クランプされる部分が円形である以上は、やはり釣竿のホールド性は十分ではない。
【先行技術文献】
【特許文献】
【０００５】
【特許文献１】特開平８−８４５５０号公報
【特許文献２】特開平８−１８７０４６号公報
【特許文献３】特開２０００−１１６２９９号公報
【特許文献４】特開２００１−１６９７０５号公報
【発明の概要】
【発明が解決しようとする課題】
【０００６】
ところで、リールは平板状の脚を備えており、この脚がリールシートを介して釣竿に固定される。すなわち、釣竿に設けられたリールシートが、平板状のリールの脚を断面が円形の釣竿に確実に固定する。本願発明者は、このリールシートに着目し、リールシートを利用すれば、断面が円形の釣竿を簡単に且つ確実に保持する機構が構成され得ると考えた。
【０００７】
本願発明はかかる背景のもとになされたものであって、その主目的は、簡単な構造で釣竿を確実にホールドすることができ、実釣における釣竿の操作性を向上させる釣竿支持装置及びリールシートを提供することである。
【課題を解決するための手段】
【０００８】
(1) 本発明に係るリールシートは、釣竿に装着され、当該釣竿に釣糸リールを着脱自在に固定するリールシートであって、釣糸リールの脚が載置されるシート面を有するリールシート本体と、リールシート本体に設けられた固定フードと、リールシート本体に設けられ、固定フードと協働して上記脚を挟持する可動フードと、固定フード又は可動フードに設けられ、釣糸リールが装着された釣竿を支持するための支持部とを備える。
【０００９】
釣糸リールの脚は、シート面に載置された状態で固定フード及び可動フードによって挟持される。これにより、釣糸リールがリールシートを介して釣竿に固定される。このリールシートの固定フード及び可動フードは、重量物である釣糸リールを確実に釣竿に固定するために十分な機械的強度を備えている。この固定フード又は可動フードに支持部が設けられている。この支持部がたとえば船体等の基礎体に支持されることによって、釣糸リールを装着した釣竿が基礎体に確実に且つ安定的に支持されることになる。釣竿のリールシートが設けられた部位は、釣糸リールを装着した釣竿の重心付近であることから、上記支持部が上記基礎体に支持された状態であっても、当該支持部に大きな曲げモーメントが付加されることはない。したがって、当該支持部は、軽量化且つ小型化され得る。
【００１０】
(2) 上記支持部は、上記釣糸リールが装着された釣竿を支える支持軸を受ける軸受部から構成され得る。
【００１１】
上記支持軸は、たとえば船縁に設けられる。上記支持部が軸受部により構成されることにより、上記固定フード又は可動フードが当該軸受部を備えることになる。したがって、釣人は、上記軸受部に上記支持軸が嵌合するように釣竿を操作することによって、当該釣竿は船縁に確実に且つ安定的に支持される。この構成では、リールシート側に軸受部が設けられるので、リールシート側に突起等が形成されることはなく、したがって、釣人にとって釣竿の操作に支障がない。
【００１２】
(3) 上記軸受部は、上記リールシート本体の長手方向に直交する方向に延びる軸挿通孔を有するのが好ましい。
【００１３】
この構成では、上記支持軸は、上記リールシート本体の長手方向に直交する方向に沿って上記軸挿通孔に挿入される。これにより、当該釣竿は、当該支持軸に支持されつつ当該支持軸を中心にして俯仰可能となる。上記支持軸を中心に釣竿が起立された場合には、釣人は仕掛けを回収しやすくなるし、上記支持軸を中心に釣竿が倒伏された場合には、釣人は、仕掛けの投入を迅速に行える。
【００１４】
(4) 上記支持部は、上記固定フード又は可動フードと一体的に形成されているのが好ましい。
【００１５】
これにより、固定フード又は可動フードの機械的強度が確保されつつ構造の簡素化が図られる。
【００１６】
(5) 本発明に係るリールシートアダプタは、釣糸リールの脚が載置されるシート面を有するリールシート本体と、リールシート本体に設けられた固定フードと、リールシート本体に設けられ、固定フードと協働して上記脚を挟持する可動フードとを備えたリールシートに適用されるリールシートアダプタである。このリールシートアダプタは、上記固定フード又は可動フードに進入して当該固定フード又は可動フードによって上記脚と共に上記シート面上に固定されるベースプレートと、ベースプレートと一体的に形成され、釣糸リールが装着された釣竿を支持するための支持部とを備えている。
【００１７】
釣竿に設けられたリールシートに釣糸リールがリールシートアダプタと共に装着される。具体的には、リールシートアダプタのベースプレートが固定フード又は可動フード内に進入した状態で、当該リールシートアダプタが上記シート面上に載置される。釣糸リールの脚は、このベースプレートと共に固定フード又は可動フード内に挿入される。可動フードが固定フード側に移動することによって、上記脚は、ベースプレートと共に可動フード及び固定フードによって固定される。これにより、釣糸リールがリールシートを介して釣竿に固定される。
【００１８】
上記固定フード及び可動フードは、重量物である釣糸リールを確実に釣竿に固定するために十分な機械的強度を備えている。上記ベースプレートに支持部が設けられている。この支持部がたとえば船体等の基礎体に支持されることによって、釣糸リールを装着した釣竿が基礎体に確実に且つ安定的に支持されることになる。釣竿のリールシートが設けられた部位は、釣糸リールを装着した釣竿の重心付近であることから、上記支持部が上記基礎体に支持された状態であっても、当該支持部に大きな曲げモーメントが付加されることはない。したがって、当該支持部は、軽量化且つ小型化され得る。
【００１９】
(6) 上記支持部は、所定の支持軸を受ける軸受部から構成され得る。
【００２０】
上記所定の支持軸は、たとえば船縁に設けられる。上記支持部が軸受部により構成されることにより、当該リールシートアダプタは、当該軸受部を備えることになる。したがって、釣人は、上記軸受部に上記支持軸が嵌合するように釣竿を操作することによって、当該釣竿は船縁に確実に且つ安定的に支持される。この構成では、リールシートアダプタに軸受部が設けられるので、リールシート側に突起等が形成されることはなく、したがって、釣人にとって釣竿の操作に支障がない。
【００２１】
(7) 上記軸受部は、上記リールシート本体の長手方向に直交する方向に延びる軸挿通孔を有するのが好ましい。
【００２２】
この構成では、上記支持軸は、上記リールシート本体の長手方向に直交する方向に沿って上記軸挿通孔に挿入される。これにより、当該釣竿は、当該支持軸に支持されつつ当該支持軸を中心にして俯仰可能となる。上記支持軸を中心に釣竿が起立された場合には、釣人は仕掛けを回収しやすくなるし、上記支持軸を中心に釣竿が倒伏された場合には、釣人は、仕掛けの投入を迅速に行える。
【００２３】
(8) 本発明に係る釣竿支持装置は、釣糸リールの脚が載置されるシート面を有するリールシート本体、リールシート本体に設けられた固定フード、及びリールシート本体に設けられ、固定フードと協働して上記脚を挟持する可動フードを含むリールシートが設けられた釣竿を基礎体に支持するための釣竿支持装置である。この釣竿支持装置は、上記固定フード又は可動フードに設けられた支持部と、上記基礎体に設けられ、上記支持部と係合することによって釣糸リールが装着された釣竿を支持するための係合部とを備えている。
【００２４】
この構成によれば、釣糸リールの脚は、シート面に載置された状態で固定フード及び可動フードによって挟持される。これにより、釣糸リールがリールシートを介して釣竿に固定される。このリールシートの固定フード及び可動フードは、重量物である釣糸リールを確実に釣竿に固定するために十分な機械的強度を備えている。この固定フード又は可動フードに支持部が設けられている。この支持部が基礎体（たとえば船体等）に設けられた係合部に支持されることによって、釣糸リールを装着した釣竿が基礎体に確実に且つ安定的に支持されることになる。釣竿のリールシートが設けられた部位は、釣糸リールを装着した釣竿の重心付近であることから、上記支持部が上記基礎体に支持された状態であっても、当該支持部に大きな曲げモーメントが付加されることはない。したがって、当該支持部は、軽量化且つ小型化され得る。
【００２５】
(9) 上記係合部は支持軸からなり、上記支持部は、上記支持軸を受ける軸受部から構成され得る。
【００２６】
上記支持軸は、たとえば船縁に設けられる。上記支持部が軸受部により構成されることによって、上記固定フード又は可動フードは、当該軸受部を備えることになる。したがって、釣人は、上記軸受部に上記支持軸が嵌合するように釣竿を操作することによって、当該釣竿は船縁に確実に且つ安定的に支持される。この構成では、リールシート側に軸受部が設けられるので、リールシート側に突起等が形成されることはなく、したがって、釣人にとって釣竿の操作に支障がない。
【００２７】
(10)上記支持軸は、上記リールシート本体の長手方向に直交する方向に延び、上記軸受部は、同方向に延びる軸挿通孔を有するのが好ましい。
【００２８】
この構成では、上記支持軸は、上記リールシート本体の長手方向に直交する方向に沿って上記軸挿通孔に挿入される。これにより、当該釣竿は、当該支持軸に支持されつつ当該支持軸を中心にして俯仰可能となる。上記支持軸を中心に釣竿が起立された場合には、釣人は仕掛けを回収しやすくなるし、上記支持軸を中心に釣竿が倒伏された場合には、釣人は、仕掛けの投入を迅速に行える。
【００２９】
(11)上記支持部は、上記固定フード又は可動フードと一体的に形成されているのが好ましい。
【００３０】
これにより、固定フード又は可動フードの機械的強度が確保されつつ構造の簡素化が図られる。
【発明の効果】
【００３１】
この発明では、リールシートに設けられる支持部が軽量小型化され得るので、釣竿を基礎体に支持する構造がきわめて簡単になると共に、上記支持部は、一般に釣竿の重心付近に配置されることになるから、実釣における釣竿の操作性が向上する。
【図面の簡単な説明】
【００３２】
【図１】図１は、本発明の一実施形態に係る釣竿支持装置１０の正面図である。
【図２】図２は、釣竿支持装置１０の要部拡大斜視図である。
【図３】図３は、図１におけるIII−III断面図である。
【図４】図４は、釣竿支持装置１０の支持ブロック２９の斜視図である。
【図５】図５は、図２におけるV−V 断面図である。
【図６】図６は、釣竿支持装置１０の揺動機構５０の一部断面側面図である。
【図７】図７は、本実施形態の変形例に係るリールシートアダプタ９１の正面図である。
【図８】図８は、リールシートアダプタ９１の右側面図である。
【発明を実施するための形態】
【００３３】
以下、適宜図面が参照されつつ、好ましい実施形態に基づいて本発明が詳細に説明される。なお、本実施形態は本発明の一実施態様にすぎず、本発明の要旨が変更されない範囲で実施態様が変更され得る。
【００３４】
［概略構成と特徴点］
【００３５】
図１は、本発明の一実施形態に係る釣竿支持装置１０の正面図である。同図は、釣竿支持装置１０が釣竿１１を支持している状態を示している。また、図２は、この釣竿支持装置１０の要部拡大斜視図である。
【００３６】
本実施形態では、釣竿１１は、船釣りに供されるものであって、釣竿本体１２と、フロントグリップ１３と、リールシート１４と、バックグリップ１５とを備えている。同図において左右方向右側が釣竿１１の前方であり、左側が後方である。この釣竿１１では、リールシート１４の後方にバックグリップ１５が配置されており、両者は一体的に形成されている。リールシート１４は、釣用リール（以下、単に「リール」と称される。）１６を釣竿１１に装着するためのものである。船釣りに供されるリールは一般に大型で重く、そのためにリールシート１４は、十分な機械的強度が確保されている。なお、リールは、一対の脚１７、１８を備えており、各脚１７、１８が後述の要領でリールシート１４に固定されるようになっている。
【００３７】
釣竿支持装置１０は、係合部４１を備えている。本実施形態の特徴とするところは、この係合部４１が後述される支持軸４２からなり、釣竿１１のリールシート１４に係合している点である。これにより、リール１６が装着された釣竿１１は、簡単に着脱可能な状態で釣竿支持装置１０に支持されている。
【００３８】
［リールシート］
【００３９】
リールシート１４は、リールシート本体１９と、固定フード２０と、稼働フード２１とを備えている。リールシート本体１９は、たとえば樹脂からなり、筒状に形成されている。釣竿本体１２は、リールシート本体１９に前方から後方に向かって差し込まれている。リールシート本体１９の上面は平面状に形成されており、リール１６の脚１７、１８が載置されるシート面２２が構成されている。固定フード２０は、シート面２２の後方に設けられており、リールシート本体１９と一体的に形成されている。固定フード２０の構造は既知である。具体的には、リールシート本体１９の上面側が上方に隆起されることによりフードが形成され、このフードと上記シート面２２との間に隙間が形成されている。リール１６の脚１７は、上記隙間に嵌め込まれるようになっている。
【００４０】
図３は、図１におけるIII−III断面図であって、可動フード２１の断面形状を示している。
【００４１】
可動フード２１は、シート面２２の前方に設けられており、リールシート本体１９に螺合されている。具体的には、リールシート本体１９のフロントグリップ１３の後方に雄ねじ部２３が設けられている。この雄ねじ部２３は、リールシート本体１９の外周面に雄ねじが形成されることにより構成されている。可動フード２１は、フード本体２４と、ねじ部２５とを備えている。フード本体２４及びねじ部２５はリング状に形成されており、ねじ部２５は、フード本体２４の前方に取り付けられ、且つフード本体２４に対して回転自在となっている。このねじ部２５の内周面に雌ねじが形成されており、ねじ部２５が上記雄ねじ部に螺合している。したがって、ねじ部２５が回転されると、当該ねじ部２５と一体的にフード本体２４が図中左右方向に（前後方向に）スライドする（図１参照）。その結果、リール１６の両脚１７、１８は、固定フード２０と可動フード２１との間に挟み込まれ、リール１６がリールシート１４に固定される。
【００４２】
図３が示すように、可動フード２１のフード本体２４は、リールシート本体１９に嵌め合わされている。フード本体２４は、底部２６と、一対の側部２７、２８と、各側部２７、２８に設けられた支持ブロック２９、３０（本発明における「支持部」の一例）と、頂部３１とを有する。フード本体２４は、本実施形態では金属板から構成されている。フード本体２４は、金属板が屈曲されることにより、全体として環状に形成されている。なお、フード本体２４を構成する金属板の肉厚は、本実施形態では０．６ｍｍに設定されているが、フード本体２４の肉厚は、適宜設計変更が可能である。
【００４３】
底部２６は、リールシート本体１９の下面に沿うように円弧状に湾曲形成されている。側部２７及び側部２８は、それぞれ底部２６の右側及び左側に配置されており、図３が示すようにリールシート本体１９の側方外側へ膨出されている。本実施形態では、各側部２７、２８は、リールシート本体１９の外面から側方外側に７．０ｍｍだけ膨出されている。もっとも、側部２７、２８の膨出寸法は、適宜設計変更され得る。これら側部２７、２８の内側に一対の支持ブロック２９、３０が配置されている。各支持ブロック２９、３０の構成については後に詳述される。側部２７、２８に貫通孔３９、４０が設けられており、後述されるように、これら貫通孔３９、４０は支持ブロック２９、３０に設けられた軸挿通孔３４に連通している。
【００４４】
頂部３１は、底部２６の上方に配置され、底部２６と対向している。頂部３１は、各側部２７、２８間に架け渡すように配置され、リールシート本体１９の上面に沿って円弧状に形成されている。この頂部３１は、リールシート本体１９の上面から上方に膨出されており、これにより、リールシート本体１９の上面と頂部３１との間に隙間３２が形成されている。したがって、前述のようにリール１６の脚１７が固定フード２０に挿入されると共に（図１参照）、脚１８は、上記隙間３２に挿入される。そして、図１が示すようにねじ部２５が回転されることにより、リール１６の脚１７、１８がリールシート１４に締結固定される。
【００４５】
図１及び図３が示すように、支持ブロック２９は、フード本体２４の側部２７の内側に配置され、リールシート本体１９の右側に固定されている。
【００４６】
図４は、支持ブロック２９の斜視図である。
【００４７】
支持ブロック２９は、本実施形態では金属（典型的にはステンレススチール）から構成されている。支持ブロック２９は、直方体状に形成されている。支持ブロック２９の外側面３３に軸挿通孔３４（本発明における「軸受部」の一例）が設けられている。この軸挿通孔３４は円形の孔である。なお、上記貫通孔３９、４０の形状は、軸挿通孔３４に対応して円形である。軸挿通孔３４の深さは特に限定されないが、可能な限り深い方が好ましい。軸挿通孔３４の内径は、上記係合部４１の外径に対応しており、両者は確実に嵌合することができる。これにより、図１が示すように、釣竿１１は、確実に釣竿支持装置１０に支持され得る。本実施形態では、リールシート本体１９の中心と、軸挿通孔３４の中心とは、上下方向に寸法ｄだけずれている。この寸法ｄが大きいほど、軸挿通孔３４の深さ寸法が大きく設定され得るので、釣竿１１は、より確実に保持され得る。
【００４８】
図４が示すように、支持ブロック２９の内側面３５は円弧状に形成されている。この内側面３５の曲率は、リールシート本体１９の外面の曲率に対応している。したがって、支持ブロック２９は、リールシート本体１９にフィットする。また、支持ブロック２９の角部は、面取加工がなされている。これにより、支持ブロック２９は、フード本体２４の側部２７の内側にがたつきを生じさせることなく確実に嵌め込まれている。なお、支持ブロック３０は、支持ブロック２９と同様の形状であって、リールシート本体１９を中心として左右対称に配置されている。
【００４９】
［釣竿支持装置］
【００５０】
図１が示すように、釣竿支持装置１０は、上記リール１６が装着された釣竿１１を船縁４３に対して固定する。釣竿支持装置１０は、支持部４４と、上記支持軸４２とを備えている。
【００５１】
図１及び図２が示すように、支持部４４は、ベースフレーム４５と、サブフレーム４６と、支持フレーム４７と、上記支持軸４２が設けられた挟持アーム４８、４９と、挟持アーム４８、４９を揺動させて姿勢を変化させるための揺動機構５０とを備えている。
【００５２】
ベースフレーム４５は、フレーム本体５１と、締結軸５２とを備えている。フレーム本体５１は、たとえばステンレス鋼からなり、図１が示すようなＣ形に形成されている。フレーム本体５１は、主部５３と、主部５３の上下に設けられた当接部５４及び締結部５５とを備えている。締結軸５２は、フレーム本体５１の締結部５５に螺合している。締結軸５２は、丸棒からなり、その外周面に雄ねじが形成されている。この締結軸５２の上端に当接パッド５６が設けられており、下端にハンドル５７が設けられている。この締結軸５２は、上下方向に沿って上記締結部５５にねじ込まれており、ハンドル５７が操作されることによって当接パッド５６が上下にスライドする。当接パッド５６が上方へスライドすることによって、当該当接パッド５６及び当接部５４は、船縁４３を締め付ける。
【００５３】
サブフレーム４６は、たとえばステンレス鋼からなり、基板５８と、支柱５９と、支持アーム６０とを備えている。基板５８は、フレーム本体５１の当接部５４の上に配置され、締結軸６１によって当接部５４に固定される。支柱５９は、円柱状に形成されており、その上面から軸方向に沿って下向きに嵌合孔６２が設けられている。支持アーム６０は、支柱５９の周面に突設されている。図２が示すように、支持アーム６０は、Ｌ形に形成された基部６３と、基部６３の先端に設けられた掛部６４とを備えている。基部６３の断面形状は長方形であり、支持アーム６０の十分な曲げ剛性が確保さてている。掛部６４はＵ形に形成されており、釣竿１１が容易に載置されるようになっている。
【００５４】
支持フレーム４７は、ステンレス鋼板からなる。支持フレーム４７は、図２が示すようにＵ形に形成されている。具体的には、支持フレーム４７は、矩形の平板の中央部が前端から後方に向かって切り欠かれることにより構成されており、中央部に切欠溝８７が形成されている。なお、この切欠溝８７が設けられることによる作用効果については後述される。また、支持フレーム４７の下面に軸６５が突設されており（図１参照）、この軸６５が支柱５９の嵌合孔６２に嵌め込まれている。軸６５の外径は、嵌合孔６２の内径に対応しており、これにより、支持フレーム４７は、サブフレーム４６に対して確実に支持され、且つ軸６５を中心に回転可能となっている。
【００５５】
図５は、図２におけるV−V 断面図である。
【００５６】
図２及び図５が示すように、挟持アーム４８、４９は、支持フレーム４７の右縁部及び左縁部に配置されている。挟持アーム４８、４９は、ヒンジ６６を介して支持フレーム４７に連結されており、左右方向に揺動することができる。挟持アーム４８、４９は、細長板状に形成されている。挟持アーム４８、４９の基端部６７、６８は円筒状に形成されており、上記ヒンジ６６を構成している。図５が示すように、挟持アーム４８、４９の中央部に段部６９が形成されており、この段部６９より下側部分の肉厚が大きく設定されている。ただし、段部６９より下側部分の肉厚は、下方に向かって漸次小さくなっており、挟持アーム４８、４９の内面は傾斜面７０となっている。
【００５７】
この挟持アーム４８、４９の先端に上記支持軸４２が突設されている。各支持軸４２は円柱状に形成されており、互いに対向するように配置されている。前述のように、各支持軸４２の外径は、上記軸挿通孔３４の内径に対応している。挟持アーム４８、４９は、後述のようにヒンジ６６を中心に揺動し、各支持軸４２は、互いに接近した位置と離反した位置との間で変位することができる。
【００５８】
図６は、揺動機構５０の一部断面側面図である。
【００５９】
揺動機構５０は、支持フレーム４７に立設された立板７１、７２と、これら立板７１、７２を連結するクロスメンバー８８と、立板７１、７２間に掛け渡されたスライドバー７３と、スライドバー７３と係合した操作レバー７４と、操作レバー７４を支持する一対の基軸７５と、両挟持アーム４８、４９間に掛け渡されたバネ３９とを有する。
【００６０】
立板７１、７２は、細長平板からなり、図２及び図５が示すようにＬ形に形成されている。立板７１は、支持フレーム４７の右端部に立設され、先端部７６が右側に屈曲している。同様に、立板７２は、支持フレーム４７の左端部に立設され、先端部７７が左側に屈曲している。立板７１、７２の先端部７６、７７は、挟持アーム４８、４９が互いに接近した状態（図５が示す状態）で、挟持アーム４８、４９の段部６９に当接する。挟持アーム４８、４９間に上記バネ３９が設けられているから、挟持アーム４８、４９は、常時互いに接近するように弾性付勢されている。したがって、常時において挟持アーム４８、４９は立板７１、７２に当接しており、支持軸４２は、互いに接近した位置に配置される。
【００６１】
クロスメンバー８８は、立板７１、７２の全面に固定されている。クロスメンバー８８は支柱８９を備えており、この支柱８９は上方に延びている。支柱８９は、図２が示すように略Ｌ形に形成されている。支柱８９は中間部で屈曲されており、支柱８９の上端部が上記支持軸４２の下方に位置している。支柱８９の上面９０は、下方へ凹んだ曲面となっている。これにより、釣竿１１のリールシート１４は、上面９０に安定的に載置される。なお、上面９０の上下方向の位置は、リールシート１４が載置された状態で、上記軸挿通孔３４と上記支持軸４２とが嵌合し得るように設定されている。したがって、釣人は、支柱８９に釣竿１１を載置した状態で前後方向に釣竿１１をスライドさせることにより、上記支持軸４２をリールシート１４の可動フード２１に簡単に係合させることができる。
【００６２】
立板７１、７２の中央部に上下方向に沿って長孔７８、７９が設けられている。スライドバー７３は、この長孔７８、７９を貫通し、立板７１、７２の外側に突出している。スライドバー７３は、本実施形態ではステンレス鋼からなる。スライドバー７３は、丸棒からなる本体８１と、本体８１の左右両端に設けられたスライダ８０とを備えている。スライダ８０は、半球状に形成されている。スライダ８０の外径は、上記長孔７８、７９の径より大きい。したがって、スライダ８０は、常に挟持アーム４８、４９と、立板７１、７２との間に配置され、本体８１と共に上下方向にスライド可能となっている。スライダ８０は、常時挟持アーム４８、４９に当接している。スライドバー７３が上向きにスライドすると、スライダ８０が挟持アーム４８、４９の傾斜面７０に沿って上方に移動する。これにより、挟持アーム４８、４８はヒンジ６６を中心にして回動して互いに離反し、支持軸４２は、互いに離反した位置に変位する。逆にスライドバー７３が下向きにスライドすると、スライダ８０が挟持アーム４８、４９の傾斜面７０に沿って下方に移動する。挟持アーム４８、４９間にバネ３９が設けられているから、このバネ３９の弾性力によって挟持アーム４８、４８はヒンジ６６を中心にして回動し、支持軸４２は、互いに接近した位置に変位する。
【００６３】
操作レバー７４は、上記スライドバー７３を上下方向にスライドさせるためのものである。操作レバー７４は、Ｕ形に形成されたレバー本体８１と、レバー本体８１の基端に設けられた把手８２とを備えている。操作レバー７４もステンレス鋼から構成され得る。レバー本体８１に一対の環状部８３が設けられている。これら環状部８３は、上記立板７１、７２の内側、すなわち立板７１、７２に対して挟持アーム４８、４９が配置されている側と反対側に設けられている。上記スライドバー７３は、各環状部８３を貫通している。つまり、各環状部８３がスライドバー７３の両端部を支持している。環状部８３は、前後方向（図２において矢印８６の方向）に延びている。環状部８３の内径はスライドバー７３の外径に対応しており、スライドバー７３は、相対的に環状部８３に沿って前後方向にスライド可能である。
【００６４】
把手８２は、図２が示すようにレバー本体８１の頂部に突設されている。この把手８２は、釣竿１１が、釣竿支持装置１０に支持されている状態（図１参照）から取り外される際に操作される。このときに釣人が操作しやすいように、把手８２は図１及び図２が示すように上方へ湾曲している。
【００６５】
レバー本体８１の先端部８４はリング状に形成されている。上記基軸７５は、これら先端部８４を貫通している。すなわち、レバー本体８１は、先端部８４を回動中心として俯仰可能なように基軸７５に支持されている。図２が示すように、この基軸７５は、支持フレーム４７に支持されている。具体的には、支持フレーム４７の両端に支持板８５が立設されており、基軸の７５の両端部が支持板８５に支持されている。把手８２が操作され、レバー本体８１が上方へ回動すると、環状部８３に支持されたスライドバー７３が上方へスライドする。これにより、前述のとおり、挟持アーム４８、４９が外側へ開いて支持軸４２が互いに離反する。
【００６６】
［使用要領及び作用効果］
【００６７】
釣竿１１は、次の要領で釣竿支持装置１０に着脱される。
【００６８】
釣人は、リール１６を持ち、リール１６の脚１７を固定フード２０に挿入する（図１参照）。続いて、釣人は、リール１６の他方の脚１８をシート面２２に当接させ、その状態で可動フード２１を操作する。具体的には、釣人は、ねじ部２５を回転させる。これにより、フード本体２４が固定フード２０側にスライドし、リール１６の脚１７、１８は、固定フード２０及び可動フード２１とにより挟持固定される。リール１６がリールシート１４に固定された状態で、当該釣竿１１が釣竿支持装置１０に支持される。
【００６９】
釣人が釣竿１１のフロントグリップ１３部分を支持アーム６０に掛け、釣竿１０を把持しながら把手８２を握る。これにより、図２が示すように操作レバー７４が上方へ回動し、挟持アーム４８、４９が外側へ開いて支持軸４２が離反する。釣人は、把手８２から手を離すとバネ３９の弾性力によって支持軸４２が接近する。釣人は、接近し合う支持軸４２が可動フード２１に係合するように釣竿１１を操作する。支持軸４２は、可動フード２１の支持ブロック２９、３０と嵌合する。具体的には、一対の支持軸４２は、フード本体２４を貫通し、支持ブロック２９、３０に設けられた軸挿通孔３４に嵌合する。これにより、釣竿１１は、支持軸４２によって支持される。
【００７０】
リールシート１４の固定フード２０及び可動フード２１は、重量物であるリール１６を確実に固定するためのものであるから、本来的に十分な機械的強度を備えている。そのような可動フード２１に上記支持ブロック２９、３０が設けられているので、リール１６を装着した釣竿１１は、船縁４３に安定的に支持される。しかも、リールシート１４は、リール１６を装着した釣竿１１の重心付近に配置されるから、実釣における釣竿１１の操作性が向上する。しかも、釣竿１１は、重心付近を支持されることになるから、釣竿１１が支持された際に支持ブロック２９、３０に大きな曲げモーメントが付加されることはない。したがって、支持ブロック２９、３０は軽量化且つ小型化が達成され、釣竿１１の重量増加が抑えられる。
【００７１】
本実施形態では、上記支持ブロック２９、３０は、上記支持軸４２を支持する軸受けとして機能している。したがって、リールシート１４側に突起等が形成されることはなく、釣人にとって釣竿１１の操作に支障がないという利点がある。
【００７２】
また、本実施形態では、支持軸４２は、左右方向すなわちリールシート本体１９の長手方向に直交する方向に沿って上記支持ブロック２９、３０の軸挿通孔３４に挿入される。したがって、釣竿１１は、支持軸４２に支持されつつ当該支持軸４２を中心にして俯仰することができる。支持軸４２を中心に釣竿１１が起立された場合には、釣人は仕掛けを回収しやすくなるし、支持軸４２を中心に釣竿１１が倒伏された場合には、釣人は、仕掛けの投入を迅速に行える。本実施形態では、支持フレーム４７の中央に切欠溝８７（図２参照）が設けられているので、釣竿１１が倒伏されても支持フレーム４７と干渉することがない。したがって、釣人は、実釣において釣竿１１を下方に大きく倒伏することができ、その結果、仕掛けを迅速に海中に投入することができる。
【００７３】
本実施形態では、上記支持ブロック２９、３０は、可動フード２１のフード本体２４と別個の部品として製造されているが、これら支持ブロック２９、３０がフード本体２４と一体的に形成されてもよいことはもちろんである。その場合、可動フードの構造がさらに簡素化され、且つ機械的強度も向上する。また、本実施形態では、支持ブロック２９、３０が可動フード２１側に設けられているが、固定フード２０に設けられていてもよい。
【００７４】
［変形例］
【００７５】
図７は、本実施形態の変形例に係るリールシートアダプタ９１の正面図である。また、図８は、このリールシートアダプタ９１の右側面図である。
【００７６】
上記実施形態では、支持ブロック２９、３０（図３参照）が可動フード２１のフード本体２４に設けられていたのに対し、本変形例では、支持ブロック９２、９３（本発明における「支持部」の一例）を備えたリールシートアダプタ９１がリール１６と共にリールシート１４に固定されるようになっている。すなわち、このリールシートアダプタ９１がリール１６と共にリールシート１４に固定されることにより、支持ブロック９２、９３が可動フード２１の側方に配置されるようになっている。
【００７７】
リールシートアダプタ９１は、たとえばステンレス鋼や樹脂等からなる。リールシートアダプタ９１は、ベースプレート９４とサブプレート９５とを備えており、これらは一体的に形成されている。ベースプレート９４は、半円筒状に形成されている。このベースプレート９４の後方部分９６は、リールシート本体１９の外面に当接する。ベースプレート９４の前方部分９７は、シート面２２に当接し、且つ可動フード２１の内部に進入する。図７が示すように、ベースプレート９４の前方部分９７が可動フード２１に配置された状態で、リール１６の脚１８が上記前方部分９７を押さえつけるように可動フード２１に挿入される。そして、脚１７が固定フード２０に挿入された状態でねじ部２５が操作されることにより、固定フード２０及び可動フード２１がリール１６と共にリールシートアダプタ９１をリールシート１４に固定する。
【００７８】
サブプレート９５は、ベースプレート９４の左右両側に設けられている。サブプレート９５は、ベースプレート９４に対して左右対称に配置されており、ベースプレート９４と一体的に形成されている。リールシートアダプタ９１がリールシート１４に固定された状態で、サブプレート９５は、可動フード２１のフード本体２４の外側に位置する。サブプレート９５の先端部に支持ブロック９２、９３が設けられている。この支持ブロック９２、９３は、サブプレート９５と一体的に形成されている。支持ブロック９２、９３は、略矩形状を呈し、中央部に軸挿通孔９８が設けられている。この軸挿通孔９８は、上記実施形態における軸挿通孔３４（図３参照）と同様の構成である。すなわち、支持ブロック９２、９３は、上記実施形態における支持軸４２（図１参照）が支持される軸受部として構成されている。
【００７９】
この変形例においても、十分な機械的強度を備えた可動フード２１に支持ブロック９２、９３が設けられているので、リール１６を装着した釣竿１１は、船縁４３に安定的に支持される。また、上記実施形態と同様に、リール１６を装着した釣竿１１の重心付近が支持されることになるから、実釣における釣竿１１の操作性が向上し、しかも、釣竿１１の重量増加が抑えられる。
【符号の説明】
【００８０】
１０・・・釣竿支持装置
１１・・・釣竿
１４・・・リールシート
１６・・・リール
１７・・・脚
１８・・・脚
１９・・・リールシート本体
２０・・・固定フード
２１・・・可動フード
２２・・・シート面
２４・・・フード本体
２９・・・支持ブロック
３０・・・支持ブロック
３４・・・軸挿通孔
４１・・・係合部
４２・・・支持ブロック
９１・・・リールシートアダプタ
９２・・・支持ブロック
９３・・・支持ブロック
９４・・・ベースプレート
９５・・・サブプレート
９８・・・軸挿通孔
【図１】
2011125230.tif 000003
【図２】
2011125230.tif 000004
【図３】
2011125230.tif 000005
【図４】
2011125230.tif 000006
【図５】
2011125230.tif 000007
【図６】
2011125230.tif 000008
【図７】
2011125230.tif 000009
【図８】
2011125230.tif 000010